Podtech/llm-jp-corpus-v4-ja_patent huggingface dataset:
(57)【要約】【課題】トイレの出入り、乗り移り動作時に邪魔にならずに便座からのスムーズな立ち上がり、介助量の軽減を可能とするトイレの手摺を提供する。【解決手段】固定式パイプ手摺（１）の開口部にキャスター（６）つきの可動式手摺（２）を挿入し、手摺の伸縮を可能とする。ピン（３）にて手摺の動きを制御し、チェーン（４）にて可動式手摺の滑りだしを制御する。【選択図】図２
2004105684.tif 000002
【特許請求の範囲】
【請求項１】
固定式パイプ手摺（１）の開口部（５）にキャスター（６）付の一回り細い手摺（２）が入り込むように取りつけ、ピン（３）の取り外しにより手摺の可動性を出し、取り付けにより手前への動きを制御する。固定式パイプ手摺（１）とキャスター付手摺（２）をチェーン（４）にて固定する事により手摺（１）と手摺（２）の取りはずれを制御する。固定式パイプ手摺（１）内部にキャスター付手摺（２）の持ち手が前後に可動性することにより場所を取らずに立ち上がり、立位保持を容易にする伸縮式手摺。
【発明の詳細な説明】
【０００１】
【発明の属する技術分野】
この発明は、場所を取らず、トイレへの出入りの邪魔にならずに便器からの立ち上がり、立位保持を容易にするトイレの手摺に関するものである。
【０００２】
【従来の技術】
従来のトイレの手摺は出入り乗り移り動作に障害にならないように作られており手摺の長さが短く立ち上がりにくい。
【０００３】
【発明が解決しようとする課題】
これには次のような欠点があった。
（イ）　従来の壁への固定式手摺と入り口側の壁または床への固定式手摺の併用では手摺自体の長さが短すぎ、立ち上がり時に要する身体の前屈動作をスムーズに行えない。
（ロ）　高齢者の場合、体幹、股関節、膝関節が屈曲しており立位時に手摺が短く後方にある従来の手摺では重心が保ちにくい。
（ハ）　入り口側の固定式手摺を長くすると出入りの際の障害となる。
本発明は、以上の欠点を解決する為になされたものである。
【０００４】
【課題を解決するための手段】
固定式パイプ手摺（１）の開口部（５）にキャスター（６）付の一回り細い手摺（２）が入り込むように取りつけ、ピン（３）の取り外しにより手摺の可動性を出し、取り付けにより手前への動きを制御する。手摺（１）と手摺（２）をチェーン（４）にて固定する事により手摺（１）と手摺（２）の取りはずれを制御する。
本発明は、以上の構成よりなるトイレの伸縮性手摺である。
【０００５】
【発明実施の形態】
以下本発明の実施の形態を説明する。
（イ）　床にパイプ製の手摺（１）を取りつける。手摺（１）に開口部（５）を設ける。
（ロ）　固定された手摺（１）の開口部（５）にキャスター（６）を設けた可動式手摺（２）を挿入する。
（ハ）　可動式手摺（２）を動かす時にはピン（３）を外す。
（ニ）　可動式手摺（２）を伸張し手前への動きを制御するためにピン（３）を手摺（１）と手摺（２）に共に挿し込む。
（ホ）　可動式手摺（２）が手摺（１）から滑り出るのを制御する為にチェーン（４）を手摺（１）と可動式手摺（２）に渡し取り付ける。
本発明は以上の構成よりなっている。
本発明を使用するときは、固定された手摺（１）の内部でキャスター付可動式手摺（２）が動き手摺の伸縮ができる。ピン（３）の取り外しによって手摺（２）を伸縮可能とし、取り付けにより手前への動きを制御する。チェーン（４）を取り付けておくことで可動式手摺（２）が手摺（１）から滑り出ることを制御する。
【０００６】
【発明の効果】
本発明を使用することによって、トイレへの出入りや乗り移りの際に邪魔にならず、便座からの立ち上がりの際にも身体の前屈動作を制限せず立ち上がることができる。
壁側にあるもう一方の手摺と併用することによって平行棒使用時と同様の立ち上がり動作ができる。立位動作が安定することによって介助量も軽減される。
【図面の簡単な説明】
【図１】本発明の側面図▲１▼と上視図▲２▼
【図２】本発明の側面図手摺を伸張した図▲１▼と上視図▲２▼
【図３】本発明の手摺（１）と（２）を分けた側面図
【図４】本発明の前面図
【図５】本発明の使用状態を示す斜視図
【符号の説明】
１固定されたパイプ製手摺
２可動式手摺
３ピン
４チェーン
５開口部
６キャスター
７ピンさし込み穴
【図１】
2004105684.tif 000003
【図２】
2004105684.tif 000004
【図３】
2004105684.tif 000005
【図４】
2004105684.tif 000006
【図５】
2004105684.tif 000007
(57)【要約】【課題】盲目又は弱視の人が、周囲の状況を把握するため、（１）対象物までの距離を距離センサー検出で感知する。（２）複数の距離センサーを識別できる事。（３）距離センサーに対し、斜めに位置する壁等も感知できる事。（４）杖、盲導犬、ナビゲーション誘導システム等に対しそれを補える機能を持つ事。（５）当システムは、携帯用で小型軽量であること。【解決手段】（１）距離センサーで検出した距離を可聴周波数の音の高低に置換え人間の耳で距離を感知する。（２）音色を変える事で、複数の距離センサーを識別する。（３）取付角度の異なる３つの距離センサーで、斜めに位置する壁等も感知する。（４）周囲の状況を把握出来るため、補助としての機能を持たせる。（５）マイクロセンサーを使用して、ヘアーバンド等に固定する。【選択図】　図１
2004105665.tif 000002
【特許請求の範囲】
【請求項１】
ヘッドバンド等の中央及び左右に取付けられた３方向の距離センサーにより、対象物体までの距離の長短を可聴周波数の音の高低に変換し、全盲又は弱視の人に認識させるシステム。又、音色の相違で３方向のセンサーを判別する。
【発明の詳細な説明】
【０００１】
【発明の属する技術分野】
この発明は、物体までの距離の長短を、可聴周波数の音の高低として（以下距離音と称す）とらえ、全盲又は弱視の人に認識させ、歩行の手助けをすることを目的とするシステムで医療器具に関する技術分野に属する。
【０００２】
【従来の技術】
従来は盲目の人が、手や杖で触れる感覚により物体までの距離を認識していたので、手や杖が届かない物体までの距離は把握出来なかった。
最近では、ナビゲーションを使用し、言葉による誘導システムもある。
【０００３】
【発明が解決しょうとする課題】
（１）盲目の人が距離音の高低により、物体までのおよその距離を認識出来る事。（２）約０．２ｍ先から１５ｍ程度先までの物体の距離を感知する事で、周囲の状況をリアルタイムに判断できる事。（３）３方向のセンサーの音色を変えることで、どの方向のセンサーの距離音か認識できる事。（４）周囲の音と聞き分けることが出来る事（５）中央のセンサーの方向に対し左右のセンサーは約３０〜４５度外にずらすことでいわゆる視界を広げる事。（６）簡易型のシステムとなるが、周囲の状況をリアルタイムに判断できるため、より安価で精度の良いシステムを供給できるようにする。
【０００４】
【課題を解決するための手段】
（１）図１に示すように、ヘッドバンドの中央及び左右にマイクロ距離センサーを設置し、検出された距離が距離音として変換され、使用者は聴覚に音の高低（高は近距離、低は遠距離）で認識する。
（２）対象物までの距離と距離音の周波数特性は直線的に反比例である事。
（３）３方向のセンサーの音色を変えることで、どの方向のセンサーの距離音か認識できる事。左のセンサーは左耳の聴覚で、右のセンサーは右耳の聴覚で判断する。中央のセンサーは左右の聴覚に同一レベル、同一音色の音を供給し、ステレオ効果で中央の位置に感知させる。
（４）周囲の音と距離音は聞き分けることが出来る構造のイヤホーンである事。
【０００５】
【発明の実施の形態】
（イ）マイクロ距離センサーの距離を、可聴周波数音の高低としてイヤホーンへ伝え、使用者は音の高低でその距離を認識する。
（ロ）マイクロ距離センサーは、頭部の左右及び中央に配置して、左センサーの距離音は左イヤホーンへ、右センサーの距離音は右イヤホーンへ、中央センサーの距離音は左右のイヤホーンに同一レベルで入力し、ステレオ効果により人間の聴覚には中央から聞こえるようにする。
（ハ）左右及び中央センサーの距離音はそれぞれ異なった音色を持たせることでどのセンサーの距離音か識別出来るようにする。
（ニ）センサーは、ほぼポイントしか検知出来ないので、３つのセンサーで前面の状況を把握するには、首を左右上下に振る必要がある。
【０００６】
【実施例】
実施例１
図１，２，３に基づいて実施例１を説明する。
（イ）図１は、平面より見た距離センサーの配置図で、人間の頭（１）に配置された中央距離センサー（２）及び右側距離センサー（３）と左側距離センサー（４）の配置を示す。但し、左右の距離センサーはそれぞれ約３０度外側を向かせ、いわゆる視界を広げる。
（ロ）図２は、平面より見た各距離センサーの配置図と、右イヤホーン（３Ｐ）及び左イヤホーン（４Ｐ）を示す。
（ハ）図３はこのシステムのフロー図で、センサーで測定された距離（５）を可聴周波数の音声に変換（６）し、各センサーに異なる音色を持たせる（７）ことで、イヤホーンの音で対象物までの距離と方向を判断（８）する。
【０００７】
【発明の効果】
（イ）このシステムは、全盲又は弱視の人が、対象物までの距離を距離音として、高周波音（近距離）、低周波音（遠距離）として感知する。
（ロ）頭を、上下・左右に動かすことで、より広い範囲の視野を感知できる。
（ハ）当システムはぶつかり事故の回避及び、杖又は盲導犬と当システムを併用することで、より安全な歩行が可能となる。
【図面の簡単な説明】
【図１】本発明の実施例１の平面図で、距離センサーの配置を示す。
【図２】本発明の実施例１の前面図で、距離センサーとイヤホーンの配置を示す。
【図３】本発明の実施例１のフロー図で、距離音発生の状態を示す。
【符号の説明】
１　人の頭
２　中央距離センサー
３　右距離センサー
４　左距離センサー
３Ｐ　右イヤホーン
４Ｐ　左イヤホーン
【図１】
2004105665.tif 000003
【図２】
2004105665.tif 000004
【図３】
2004105665.tif 000005
(57)【要約】【課題】寝たきりの人が床ずれを防止するために、ストッパーを使用するため、体が動いてもストッパーが外れないことを課題とし提供することにある。【解決手段】ストッパーの下部に、ベルト、帯、ひもを設けて体を乗せ、床ずれを防止出来ることを提供することにある。【選択図】図１
2004105664.tif 000002
【特許請求の範囲】
【請求項１】
山型成形ストッパー下部にベルト、帯、ひもを設けたことを特徴とする床ず
れ防止ストッパー。
【発明の詳細な説明】
【０００１】
【発明の属する技術分野】
本発明は医療補助具に関する。
【０００２】
【従来の技術】
従来に、山型成形の床ずれ防止ストッパーは考えられているが、ベルト、帯
、ひもを設けたものは知られていないので、不満と不便がある。
【０００３】
【発明が解決しようとする課題】
従来のストッパーは人の体を押し付けても、体が動くと外れる事が多いため
、ストッパーは体から外れないことを課題とし、提供することにある。
【０００４】
【課題を解決するための手段】
本発明は山型成形ストッパーの下部にベルト、帯、ひもを設け、ベルト、帯
、ひもに体を乗せることで、課題を解決し提供することにある。
【０００５】
【実施例】
本発明は山型成形ストッパーの下部に、ベルト、帯、ひもを設け、体を乗せ
ストッパーの外れることを防止出来ることにした。
【０００６】
ストッパーだけでは、寝返り、動くことですぐに体から外れることが多く、ベルト、帯、ひもに体を乗せることで、ストッパーが体から外れない。又、ストッパーに足、手なども上げて使用出来る。
【０００７】
【発明の効果】
本発明は以上説明したように構成されるので、以下に記載されるように、効
果奏できる。
寝たきりの人の床ずれ防止と使用時にストッパーが外れず固定出来る効果が
ある。
【図面の簡単な説明】
【図１】本発明に係る床ずれ防止ストッパーの工程図である。
【図２】本発明に係る床ずれ防止ストッパーの使用図である。
【符号の説明】
１　　　　山型成形ストッパー
２　　　　ベルト、帯、ひも
【図１】
2004105664.tif 000003
【図２】
2004105664.tif 000004
(57)【要約】【課題】靴、特に長靴、安全靴などの通気性の悪く内部がムレやすい靴にたいして歩行あるいは足踏みを行う事により空気を送り込み循環し、ムレを軽減、解消する、靴内ムレ削減空気送風装置を提供する。【解決手段】靴のカカト（６）にエアーポンプ（１）弁（４）を設ける、そして空気吸入管（３）空気排出管（２）を取り付け排出口（５）から空気を排出する。【選択図】　図１
2004105675.tif 000002
【特許請求の範囲】
【請求項１】
靴底内部に（１、４）のエアーポンプ及び弁を取り付（３）の空気挿入管から（２）の空気排出管を通り外部の空気をつま先部分（５）の空気排出口から吹き出して空気の循環を行う靴内ムレ削減空気送風装置。
【発明の詳細な説明】
【０００１】
【発明の属する技術分野】
この発明は、空気を歩行あるいは、足踏みの動作を行う事により靴内部に空気を送り込み靴内の湿気を削減、解消させようとする靴内ムレ削減空気送風装置に関するものである。
【０００２】
【従来の技術】
従来より靴、特に長靴、安全靴など通気性の悪い靴を長時間使用すると、靴内部がムレ、非常に不快感があった。
【０００３】
【発明が解決しようとする課題】
これには次の欠点があった。
イ．通気性の悪い靴を長時間履くと、内部がムレ不快感があった。
本発明は、以上の欠点を解決するためになされたものである。
【０００４】
【課題を解決するための手段】
靴のカカト（６）にエアーポンプ（１）弁（４）を設けるそして、空気吸入管（３）空気排出管（２）を取り付け排出口（５）から空気を排出する。
本発明は、以上の構成よりなる靴内ムレ削減空気送風装置である。
【図面の簡単な説明】
【図１】断面図
【図２】平面図
【符号の説明】
１　　　エアーポンプ
２　　　排出管
３　　　吸入管
４　　　弁
５　　　排出口
６　　　靴底（カカト）
【図１】
2004105675.tif 000003
【図２】
2004105675.tif 000004
(57)【要約】【課題】競技用ボールを床やグラウンドの上に静置して並べることができる。また、ボールの動きを阻害することのない、球技用具を提供する。【解決手段】シート（１）の中央部付近に、必要な数量のボールを置く凹み（２）をつける。シート（１）の外周部は、ボールの置かれた中央部に向かって緩やかな上り勾配（３）を設けたことを特徴とする。【選択図】　　図２
2004105677.tif 000002
【特許請求の範囲】
【請求項１】
シート（１）の中央部付近にいくつかの浅い凹み（２）をつけ、外周部から中央部に向かって緩やかな上り勾配（３）をつけた、競技用ボールを安定して静置させるためのシート
【発明の詳細な説明】
【０００１】
【発明の属する技術分野】
この発明は床やグラウンドに競技用のボールを並べて置き、離れた距離から別のボールを投げて、並べられたボールに当てるスポーツ競技について、ボールを常に一定位置に安定して静置させるためのシートに関するものである。
【０００２】
【従来の技術】
従来、床やグラウンドにボールを並べ、これに別のボールを投げて当てるようなスポーツは一般的に普及していなかったので、ボールを静置させるための器具も使用されていなかった。床などに直接多くのボールを整列して静置するのは困難だった。
【０００３】
【発明が解決しようとする課題】
床やグラウンドにボールを置くと転がりやすい。一方、ボールを固定するための器具を置くと並べたボールめがけて他のボールが投げられるとき、器具との段差（器具の厚み）のため投げたボールの動きが阻害される。
本発明は、以上の欠点を解決するためになされたものである。
【０００４】
【課題を解決するための手段】
シート〈１〉の中央部付近に必要個数の浅い凹み（２）をつける。シートの外周部は中央部に向い緩やかな上り勾配（３）のついた形状とする。
本発明は、以上の構成よりなる球技用のボール固定シートである。
【０００５】
【発明の実施の形態】
以下、本発明の実施の形態について説明する。
正三角形の形をした競技ゾーンの中央部にシート（１）を固定する。このシート上に並べられたボールをめがけて競技ゾーンの外側から別のボールを投げてシート（１）上のボールに当て、シート（１）上のボールをゾーンの外側に出して得点する。このときシート（１）上のボールは、シート（１）との接触部に設けられたわずかの凹み（２）により、投げられたボールに当たるまでシート（１）上で整列状態を保持しているが、投げられたボールが当たるとその衝撃で容易に弾き飛ばされてシート（１）の外に出る。シート（１）の外周部は、ボールが並べられた位置に向けて緩やかな上り勾配（３）がつけられているので、投げられたボールがシート（１）上に進入するときや衝突後の各ボールがシート（１）の外に出るときの動きを阻害しない。
【０００６】
【発明の効果】
競技ゾーンの外側からゾーン中央部に置かれたボールをめがけて別のボールを投げ、ゾーン中央部のボールに当ててこれをゾーンの外側に出す新しいスポーツ方式を考案したが、床やグラウンドの上に常に一定に多くのボールを並べて置くことは困難である。
本発明品を使用すれば、常に一定の形となるように多くのボールを並べて置くことが可能になるので、再配列の作業も容易になり、競技の進行を早めることができるる。
【図面の簡単な説明】
【図１】本発明の平面図
【図２】本発明の斜視図
【符号の説明】
１　シート　２　凹み　３　勾配
【図１】
2004105677.tif 000003
【図２】
2004105677.tif 000004
(57)【要約】【課題】永久ペースメーカー植込み手術後、肩の安静を保つために、腕固定帯を設け、そして両肩を着脱式にした。腕固定帯格納ポケットと心電図モニター送信機入れポケット付きのベストを提供する。【解決手段】ベスト（１）の両脇にマジックテープを縫いつけた腕固定帯（２）を設け、両肩にマジックテープ（３）を縫いつけ着脱式にして、左右前身頃に腕固定帯格納ポケット（４）を設け、左前身頃に心電図モニター送信機入れポケット（５）を設けたことを特徴とする。【選択図】　図１
2004105674.tif 000002
【特許請求の範囲】
【請求項１】
（イ）ベスト（１）の両脇に、マジックテープを縫いつけた腕固定帯（２）を設ける。
（ロ）ベスト（１）の両肩にマジックテープ（３）を縫いつけ着脱式にする。
（ハ）ベスト（１）の左右前身頃に腕固定帯（２）を格納する差込式ポケット（４）を設ける。
（ニ）ベスト（１）の左前身頃に心電図モニター送信機入れポケット（５）を設ける。
以上の構成よりなる永久ペースメーカー植込み手術後腕固定ベスト。
【発明の詳細な説明】
【０００１】
【発明の属する技術分野】
この発明は、永久ペースメーカー植込み手術後肩の安静を保つために腕を固定出来る様にしたベストに関するものである。
【０００２】
【従来の技術】
従来、帯状の固定帯や晒し等が使用されていた。
【０００３】
【発明が解決しようとする課題】
これは、つぎのような欠点があった。
従来、帯状の固定帯や晒し等は日常生活動作の時、ずり落ちて肩の安静が不十分であったり、しめつけが強すぎて苦痛を感じて困ることが多かった。
本発明は、以上のような欠点を失くすためになされたものである。
【０００４】
【課題を解決するための手段】
ベスト（１）の両脇に、マジックテープを縫いつけた腕固定帯（２）を設ける。ベスト（１）の両肩にマジックテープ（３）を縫いつけ着脱式にする。
ベスト（１）の左右前身頃に腕固定帯（２）を格納する差込式ポケット（４）を設ける。ベスト（１）の左前身頃に、心電図モニター送信機入れポケット（５）を設ける。
本発明は、以上の構成よりなる永久ペースメカー植込み手術後腕固定ベストである。
【０００５】
【発明の実施の形態】
以下、本発明の実施の形態について説明する。
（イ）ベスト（１）の両脇に、マジックテープを縫いつけた腕固定帯（２）を設ける。
（ロ）ベスト（１）の両肩を着脱式にするために、マジックテープ（３）を縫いつける。
（ハ）ベスト（１）の左右前身頃に、腕固定帯を格納する差込式のポケット（４）を設ける。
（ニ）ベスト（１）の左前身頃に、心電図モニター送信機入れポケット（５）を設ける。
本発明は、以上のような構造でこれを使用するときは、両肩のマジックテープを外し肩を動かさずに着用する。また、片側腕固定帯を使用中は反対側腕固定帯を前身頃差込ポケットに格納し、じゃまにならないように使用できる。着用中は前身頃のポケットに心電図モニター送信機を収納することによって、生活動作がスムーズになる。
【０００６】
【発明の効果】
ベストに腕固定帯をつけたことによって、生活動作がスムーズになり拘束感が少なく、かつ安静や固定効果が増し安楽な着用感が得られる。
また、両肩を着脱可能にしたことによって更衣の際、肩の安静や固定効果もそこなわずに出来て使いやすい。しかも、腕固定帯を左右前身頃に格納することによって左右両方の利き手の人に使用できる。
【図面の簡単な説明】
【図１】本発明の正面図である。
【図２】本発明の平面図である。
【図３】本発明の斜視図である。
【図４】本発明の使用説明図である。
【符号の説明】
１　ベスト
２　腕固定帯
３　マジックテープ
４　ポケット
５　ポケット
【図１】
2004105674.tif 000003
【図２】
2004105674.tif 000004
【図３】
2004105674.tif 000005
【図４】
2004105674.tif 000006
(57)【要約】【課題】ゴルフスイングにおいて、正しい軌道とインパクトの強さを音によって感知し、体得することのできるゴルフクラブを提供する。【解決手段】最適な軌道に沿ってスイングされた時に、音が発生するように、シャフト部３に、樋５ａ，５ｂを形成してゴルフクラブ１を構成する。【選択図】　　　　　　　　図１
2004105648.tif 000002
【特許請求の範囲】
【請求項１】
最適な軌道に沿ってスイングされた時に、音が発生するように、シャフト部に樋を形成したことを特徴とするゴルフクラブ。
【発明の詳細な説明】
【０００１】
【発明の属する技術分野】
この発明は、ゴルフクラブに関するものである。
【０００２】
【従来の技術および発明が解決しようとする課題】
従来、ゴルフクラブは、最適な軌道に沿ってスイングされた時に、最大限の打撃力を発生するが、最適な軌道のスイングを体得することは相当困難なものであった。
なお、従来のゴルフクラブとして、参考特許文献１等が存在する。
【０００３】
【特許文献１】
特開平１１−１３７７３１号公報
【０００４】
【課題を解決するための手段】
本発明は、上記従来の問題点に鑑み案出したものであって、最適なスイングを体得することのできるゴルフクラブを提供せんことを目的とし、その要旨は、最適な軌道に沿ってスイングされた時に、音が発生するように、シャフト部に樋を形成したことである。
【０００５】
【発明の実施の形態】
以下、本発明の実施例を図面に基づいて説明する。
図１は、ゴルフクラブの斜視構成図であり、ゴルフクラブ１は、打撃面２ａを備えたヘッド部２から、シャフト部３が立ち上げ形成されて、シャフト部３の上端はグリップ部４となっている。
【０００６】
本例のゴルフクラブ１においては、図２のシャフト部の断面を示す平面図で示すように、縦溝状に樋５ａ，５ｂが、スイング方向Ａに対し直交する向きに一対形成されている。この樋５ａ，５ｂは、ゴルフクラブ１が最適な軌道に沿ってスイングされた時に、ヒュという音を発するように形成されている。
【０００７】
即ち、日本刀には刀身に樋という溝が彫られており、正しい振りをすれば、ヒュという音がして、振りと最大限の強さを体得することができるようになっており、この日本刀における樋の原理をゴルフクラブ１に採用したものであり、ゴルフクラブ１のシャフト部３の下部部位等に、縦方向に樋５ａ，５ｂを形成させておけば、最適な軌道に沿ってゴルフクラブ１がスイングされた時に、音が発生するため、正しい軌道とインパクトの強さを、この音によって感知して、最適な軌道に沿ったスイングを体得することができるものとなり、正しいスイングの体得が容易なものとなる。
【０００８】
なお、シャフト部３に樋５ａ，５ｂを形成させたことにより、シャフト部３が曲がり難くなり、しかも、樋５ａ，５ｂにより衝撃力を分散させて、衝撃力を緩和することができる派生的な効果も得られる。
【０００９】
【発明の効果】
本発明のゴルフクラブは、最適な軌道に沿ってスイングされた時に、音が発生するように、シャフト部に樋を形成したことにより、ゴルフクラブが最適な軌道に沿ってスイングされた時に、音が発せられるため、この音によって最適なスイングを体得することが容易となる効果を有する。
【図面の簡単な説明】
【図１】ゴルフクラブの斜視構成図である。
【図２】ゴルフクラブのシャフト部を横方向に切断した状態の平面構成図である。
【符号の説明】
１　　ゴルフクラブ
２　　ヘッド部
３　　シャフト部
４　　グリップ部
５ａ，５ｂ　　樋
【図１】
2004105648.tif 000003
【図２】
2004105648.tif 000004
(57)【要約】【課題】噴射ノズルのスピンエレメントからの浮き上がりを防止して安定したスプレーパターンのもとで内容物を噴出させる。【解決手段】ディスペンサーのスピンエレメントの先端に装着され該スピンエレメントの通路につながる開孔を有する噴射チップを備えたノズルにおいて、前記噴射チップに、内筒と外筒とを同心２重配置にしてその相互間に環状溝を設け、この環状溝にスピンエレメントの先端を差し込み該環状溝の溝底部と内筒の外表面相互間のそれぞれにてシール部を形成する。【選択図】　　　　図１
2004105910.tif 000002
【特許請求の範囲】
【請求項１】
ディスペンサーのスピンエレメントの先端に装着され該スピンエレメントの通路につながる開孔を有する噴射チップを備えたノズルであって、
前記噴射チップに、内筒と外筒とを同心二重配置にしてその相互間に環状溝を設け、この環状溝にスピンエレメントの先端を差し込み該環状溝の溝底部と内筒の外表面相互間のそれぞれにてシール部を形成してなることを特徴とするディスペンサー用噴射ノズル。
【請求項２】
ノズルが、噴射チップと造泡筒とを組み合わせた泡生成部材からなる請求項１記載のノズル。
【発明の詳細な説明】
【０００１】
【発明の属する技術分野】
本発明は、ポンプによって吸引、加圧した内容物を泡状にして噴出させるディスペンサーに用いて好適な噴射ノズルに関するものであり、該噴射ノズルとディスペンサー本体（スピンエレメント）との連結を確実にしてスプレーパターンの安定化を図ろうとするものである。
【０００２】
【従来の技術】
黴び取り剤や漂白剤あるいは整髪剤等の内容物を泡状にして噴出させるディスペンサーは、レバーを牽曳して内容物を噴出させるトリガータイプや押圧ヘッドを押し込んで内容物を噴出させるプライミングタイプのものが知られている。
【０００３】
上記のような従来型のディスペンサーに装着される噴射ノズルはそのタイプの如何にかかわらず、ディスペンサー本体のスピンエレメントの先端に係合する噴射チップを備えるものでその構造はほぼ共通しており、それらは、噴射チップの背面に設けられた溝部にスピンエレメントの先端を差し込むことで連結されている（例えば特許文献１、特許文献２参照）。
【０００４】
【特許文献１】
特開昭６２−４２６６７号公報。
【０００５】
【特許文献２】
特開昭６０−２７４８４号公報。
【０００６】
ところで、従来のディスペンサーは、内容物を噴射させる際、該噴射チップの背面には高い圧力がかかるため噴射ノズルがスピンエレメントから離れるように浮き上がってその間から内容物が漏れだしスプレーパターンに影響を与えるおそれがあった。
【０００７】
【発明が解決しようとする課題】
本発明の課題は、上述のような従来問題を解消できる新規な噴射ノズルを提案するところにある。
【０００８】
【課題を解決するための手段】
本発明は、ディスペンサーのスピンエレメントの先端に装着され該スピンエレメントの通路につながる開孔を有する噴射チップを備えたノズルであって、
前記噴射チップに、内筒と外筒とを同心二重配置にしてその相互間に環状溝を設け、この環状溝にスピンエレメントの先端を差し込み該環状溝の溝底部と内筒の外表面相互間のそれぞれにてシール部を形成してなることを特徴とするディスペンサー用噴射ノズルであり、このノズルは、噴射チップと造泡筒とを組み合わせて泡生成部材とすることができる。
【０００９】
【発明の実施の形態】
以下、図面を参照して本発明をより具体的に説明する。
【００１０】
図１、図２は本発明に従う噴射ノズルをトリガー式ディスペンサー（噴出器）に装着した実施の形態を示したものである。
【００１１】
図１、２において１はディスペンサー本体内に組み込まれた噴射筒、２は噴射筒の先端に一体的に設けられたスピンエレメント、３はスピンエレメント２の通路２ａにつながる開孔ｈを有する噴射チップ、４は噴射チップ３を内装する泡生成部材であって、この泡生成部材４と噴射チップ３とにて噴射ノズルを構成する。
【００１２】
また、５は噴射チップ３の内筒３ａと外筒３ｂを同心２重配置にしてその相互間に形成される環状溝、６はレバー、７はレバー６に係合するピストン、８はピストン７をスライド可能に保持するシリンダー、そして９は内容物を吸引する吸引管である。
【００１３】
上記の構成になる噴射ノズルはスピンエレメント２を環状溝５に差し込むことによってそれらを相互に連結することができるようになっており、この時、環状溝５の溝底部においてシール部Ｓが、また、内筒３ａの外表面とスピンエレメント２の内表面との間でシール部Ｓ１がそれぞれ形成されることとなり、噴射チップ３の背面に高い圧力がかかっても、従来型の噴射ノズルに比較して該噴射チップ３が受ける圧力面積を小さくすることができるので噴射ノズルがスピンエレメント２から簡単に浮き上がって内容物が漏れだすことはなくスプレーパターンが常に安定化される。
【００１４】
本発明の実施の形態では、噴射チップ３の全体を泡生成部材４にて覆う構造を例として示したが、泡生成部材４の外壁部を取り除いて噴射チップ３の先端内でに泡生成部材４を内装する構造を採用してもよい。また、内容物を棒状にして噴出させる場合や霧状にして噴出させる場合には噴射チップ３から泡生成部材４を取り外した構造とすることもできる。
【００１５】
【発明の効果】
本発明によれば、噴射チップとスピンエレメントとの相互間で２箇所のシール部を形成するようにしたので内容物を噴出させる際に噴射ノズルがスピンエレメントから浮き上がって内容物が漏れだすことがなく安定したスプレーパターンのもとでの噴出が可能になる。
【図面の簡単な説明】
【図１】本発明に従う噴射ノズルの実施の形態を示した図である。
【図２】図１の正面図である。
【符号の説明】
１　噴射筒
２　スピンエレメント
２ａ　通路
３　噴射チップ
３ａ　内筒
３ｂ　外筒
４　泡生成部材
５　環状溝
６　レバー
７　ピストン
８　シリンダー
９　吸引管
ｈ　開孔
【図１】
2004105910.tif 000003
【図２】
2004105910.tif 000004
(57)【要約】【課題】郵便等差込口の防犯用閉塞構造。【解決手段】ドアに据付けた郵便等差込口を閉塞する寸法に成形した前面板と、その前面板の裏面上下先端に係合片を設けた連結板を突設し、前記連結板先端の係合片に前記連結板間を固定状に支持する支持板を係合支持し、かつ前記連結板と支持板を被装する後面補強板を取付けて郵便等差込口の前面と後面に亘って一体に閉塞するように構成したことを特長とするドアに据付けた郵便等差込口の防犯用閉塞具。【選択図】　図１
2004105542.tif 000002
【特許請求の範囲】
【請求項１】
ドアに据付けた郵便等差込口を閉塞する寸法に成形した前面板と、その前面板の裏面上下先端に係合片を設けた連結板を突設し、前記連結板先端の係合片に前記連結板間を固定状に支持する支持板を係合支持し、かつ前記連結板と支持板を被装する後面補強板を取付けて郵便等差込口の前面と後面に亘って一体に閉塞するように構成したことを特長とするドアに据付けた郵便等差込口の防犯用閉塞具。
【請求項２】
請求項１記載の防犯用閉塞具は、ドアの郵便等差込口の前面と後面に強制密着する耐蝕性の強質可撓材で成形した部品により、組立成形するように構成したことを特徴とするドアに据付けた郵便等差込口の防犯用閉塞具。
【発明の詳細な説明】
【０００１】
【発明が属する技術分野】
本発明は玄関ドア等に設ける防犯具に関するものである。
【０００２】
【従来の技術】
マンション等の玄関ドアは据付用郵便等受口とドア用施錠を同一ドアに近接した位置に取付けた設計構造となっており、現在これらのドア構造を悪用してドア前面に設けた郵便等受口を破壊し又は変形拡大して外部より手を挿入してドアの施錠を解錠又は破壊して、住宅内に侵入する盗難事件が続発している。
しかし、これに対し従来これらの盗難手段や郵便等受口を閉塞して施錠の破壊や解錠による侵入等を防止する強力な閉塞具は開発されていない。
【０００３】
【発明の解決しようとする課題】
本発明は上記の盗犯事例に鑑み、これを解決する課題として玄関ドア等に設けられた郵便等差込口を閉鎖する強力な閉塞具を取着し、玄関ドアに設置した施錠被害を防止することを目的とした防犯用閉塞具の提案を課題とした。
【０００４】
【課題を解決するための手段】
上記の課題を解決する手段としては、耐蝕性の可撓材質を成形材として郵便等差込口を閉塞する閉塞具とすること、第２に郵便等差込口の前面と後面、即ちドアの前面と背面に亘って一体に亘って取付ける、破壊の困難な構成とすること、第３に上記閉塞具は各部品をパーツとして誰でも組み立てかつ取付ができる構造で、実用コストで提供できる有効な防犯具とすることを手段とした。
【０００５】
【発明の実施の形態】
以下本発明の実施形態として有効な実施例を図示説明する。
図１は本発明の閉塞具の全体斜視図、図２は図１の組立部材を示す斜視図である。
図面において１０は本発明閉塞具で、耐蝕性の強質かつ折曲げ可撓材による金属もしくは合成樹脂材で成形する。１１は郵便等差込口を閉塞する閉塞具の前面板、１２、１２は前面板の上下面端面を折曲げ前面板の直角方向上下側面に突出させた連結板で、ドアａに設けた郵便等差込口ｈに挿着する突出板とする。１３、１３は連結板の先端を折曲げた係着片であり、１４は係着片１３に係着する支持板である。
連結板１２は、郵便等差込口ｈ後面、即ちドアａの背面に突出する寸法とし、先端の係着片１３、１３に支持板１４を係着し、連結板１２、１２間を固定状に支持し、１５、１５は支持板１４に設けた嵌合溝で、連結板１２の係着片１３を係着嵌合し、前面板と連結板を一体に支持する。
１６は係着片１３と支持板１４の先端を抱合状に被着する両端にＵ上の折曲片１７、１７を設けた補強板で、ドアａに設けた郵便等差込口ｈの後面を被蓋し、かつ閉塞板を一体に構成する強力補強板で郵便等差込口ｈの前面と後面に亘って一体に被着して外部よりの取外しや破壊を困難とする作用を果している。
【０００６】
上記構造は各部材パーツを同一材質で構成し、一般人でも容易に組立と取付ができる構成とし、固定ネジ等を不要とした閉塞具を実施例としたが、ドアの内側に接する後面の補強板は止ネジ等で締着又は止着してもよい。
閉塞具の取付は図４の断面図に示すようにドアａに設けた郵便等差込口ｈを設けたドアａの前面と後面に亘って一体に取付ける防犯具であるが、図５に示す連結板１２の先端を内側方向に曲げた強度性のある連結板とし、郵便等差込口ｈへの挿着取付けを容易にする連結板としてもよい。
【０００７】
【発明の効果】
以上、本発明の閉塞具は、玄関ドアに設けた施錠に近接して設けた汎用扉の郵便等差込口をドアの前部と背面に亘って一体に強質嵌着され、外部よりの取外しや破壊が困難な構造具としたので、防犯用具として有効な利点がある。
又、同一材質によるコスト面でも有利な実用閉塞具とすることにより、他の固定具を使用しないで誰でも容易に取付ができる点で簡易な防犯閉塞具として利用できる。
又、強質耐蝕材で耐用性にすぐれ、従来の既設のドアに設けた郵便差込口寸法に適合する寸法の閉塞具とすることによる実施形態とすることが可能であり、その効果適合性は防犯用具として顕著である。
【図面の簡単な説明】
【図１】本発明の全体斜視図。
【図２】図１の組立を示す各構成部材を示す斜視図。
【図３】閉塞具の側断面図。
【図４】ドア取付を示す縦断面図。
【図５】図４の他の実施例縦断面図。
【符号の説明】
１０　本発明閉塞具
１１　前面板
１２　連結板
１３　係着片
１４　支持板
１５　嵌合溝
１６　補強板
１７　Ｕ状折曲片
ａ　ドア
ｈ　差込口
【図１】
2004105542.tif 000003
【図２】
2004105542.tif 000004
【図３】
2004105542.tif 000005
【図４】
2004105542.tif 000006
【図５】
2004105542.tif 000007
(57)【要約】【課題】個人に合った理想的なゴルフスウィングを会得する適切且つ有効な手段の構築。【解決手段】ロボットを利用して現実のスウィングと理想的なスウィングとの差異を分析及び評価し、その結果を是正ポイント情報として図形及び文字で出力するシステムを実現する。【選択図】　　　なし【特許請求の範囲】
【請求項１】
個人データを入力することによって個人別に設定される理想的なスウィングを描画させる「基本スウィングソフトウェア」を用いて構え方からテークバック及びフォロースルーまでのアニメーション図の作成方法。
【請求項２】
ゴルフスウィングを診断及び指導するクリニックロボット（略称；ＧＳＣＲ）の撮影装置又はデジタルカメラで撮影したゴルフスウィングの連続写真の撮影図と請求項１で記載されているアニメーション図を重ね合わせ、その差異を分析及び評価し、重ね合わせ描画に是正ポイント情報を付加して出力させる方法。
【発明の詳細な説明】
【０００１】
【発明が属する技術分野】
本発明は、ゴルフ打撃練習、実践プレー及びゴルフクラブ購入時のクラブ選択の場で利用することにより有効な練習、正確度の高いプレー及び自己に最適なクラブ選択を行なうための個人に特化させた情報の取得に関するものである。
【０００２】
【従来の技術】
従来、ゴルフ打撃練習場及びゴルフコースの場において自己判断及び上級者等による感覚的なアドバイス及び撮影した写真を専門家に送付して個人情報の欠落の下での写真判断による一般的なアドバイスを受ける、またビデオなどのレッスン教材で個人学習する試みがあるが、その効果を個人別に運動学的及び体系的な視点から判断するデータベース及び情報取得の場はなかった。
【０００３】
【発明が解決しようとする課題】
解決しようとする課題は、個人別に理想的なスウィングを会得するための適切且つ有効な手段として現実のスウィングのデータ取得及びそのデータを評価して是正情報を得るシステムを構築することである。
【０００４】
【課題を解決するための手段】
本発明は、ＧＳＣＲ又はデジタルカメラで撮影したスウィングの連続写真の撮影図、及び個人データに基づき個人別に理想的なスウィングを描画させる「基本スウィングソフトウェア」で作成されたアニメーション図、これらの両図のデータを入力しパーソナルコンピュータに内臓してある「評価ソフトウェア」で重ね合わせ、その差異を分析し、その結果を重ね合わせた描画（図形）に是正ポイント情報（文字）を付加してパーソナルコンピュータ画面及び／又はハードコピー用紙に出力させるシステムを実現する。
【０００５】
【実施例】
図１は、本発明の一実施例としてゴルフスウィングを診断及び指導するクリニックロボット（略称；ＧＳＣＲ）の構成例を示した概要図である。ＧＳＣＲはゴルフ打撃練習、ゴルフショップでの試打及びゴルフコースの場において実際にスウィングしている状態の連続写真（正面及び／又は後方側面）を撮影する記憶媒体メモリースティック内臓の１．撮影装置（又はデジタルカメラ）、被験者データ（スキルレベル、年齢、体格、性別などの個人データ）の入力により個人別の理想的なスウィングを表現するアニメーション作画ができる基本スウィングソフトウェア、撮影装置による実写データとアニメーション作画データとの重ね合せ及びその差異分析、付加情報の書き込みができる評価ソフトウェアから成る描画処理ソフトウェア内臓の２．パーソナルコンピュータ及び描画処理の結果をハードコピー用紙に出力させる３．プリンターから構成される。
【０００６】
図２は、主としてＧＳＣＲを用いてスウィングの測定から分析、評価及び是正ポイントなどの情報を取得するまでの流れを示した手順フローチャートである。測定は撮影装置（又はデジタルカメラ）で被験者のスウィングを実写し記憶媒体メモリースティックを介してパーソナルコンピュータに実写データを取り込む。一方被験者パラメータ（スキルレベル／上級・中級・初級の選択、年齢、体格／身長・体重、性別などの個人データ）から割り出された理想的なスウィングを基本スウィングソフトウェアを用いて時系列にコマ送りして作画したアニメーションデータを取り込む。なお理想的なスウィングは事前にパラメータの組み合せによりパターン化しておき、これらの中から被験者データに基づく最適なスウィングを選択し、自動的に評価ソフトウェアへの入力データとなる。次にパーソナルコンピュータに内臓されている評価ソフトウェアを用いて実写データとアニメーションデータとを重ね合せ、スウィングに大きく影響する指定個所のうち位置及び傾きなどが許容範囲を超えて差異のある部位を抽出し、その部位をマーキングし、更に是正ポイント情報を付加した描画を作成し出力させる。是正ポイント情報は差異部位の指摘に止まらず、修正するためのアドバイスに加えて全体リズムからくる不具合対応に有効な情報も含めたものである。これらのアドバイス及び有効な情報は多くの実践経験及び運動学理論から体系的に取り纏められパーソナルコンピュータ内のデータブックに収納されているデータ集から該当文を抽出し記述する。
【０００７】
【発明の効果】
以上説明したようにゴルフ・スポーツのスキルを高めたいとするときスウィングの安定性が要求される。個人レッスンの要望に応える有効な手段として、自己の現実のスウィングを正しく認識した上で是正ポイント情報に基づき有益な練習を繰り返し、短期間で自己に合った理想的なスウィングを会得することができる。
また、スウィング測定前にマイナスイオン雰囲気（脳内にα波の増幅）及び癒し効果（元気が出る音楽を背景音として設定）の環境にあるトレーニングルームにおいて心身をリラックスさせ集中力を高めた状態でスウィングに特化したビデオによるイメージトレーニングによって更に有効な練習成果が期待できる。
【図面の簡単な説明】
【図１】ＧＳＣＲの構成例を示した概要図である。
【図２】主としてＧＳＣＲを用いてスウィングの測定から分析、評価及び是正ポイントなどの情報を取得するまでの流れを示した手順フローチャートである。
【符号の説明】
１．撮影装置
２．パーソナルコンピュータ
３．プリンター
【図１】
2004105597.tif 000002
【図２】
2004105597.tif 000003
(57)【要約】【課題】仏壇本体構造の一部位の平面上に、複数のブロック部分を有する、収納安置室を設けて、位牌、遺骨、遺品等を故人別に収納安置することが提案されている。【解決手段】仏壇の本体構造の一部として、本体一部位の平面上に設けた、収納安置室の形態は、安置室底板の上面周囲に設けた枠板により、角形或いは水平回転も可能な円形又は多角形からなり、引出方式である。安置室内部は固定或いは着脱可能なブロック枠板とブロック仕切板により、又は安置室枠板と内枠板との間に取り付けた仕切板によって複数のブロック部が形成されている。このブロック内に、故人別に位牌、遺骨、遺品等を収納安置することにより、家庭内仏壇に於て墓参行事等の仏教行事を行い、先祖故人の冥福を祈り、霊を供養するこくができる。【選択図】　図１
2004105701.tif 000002
【特許請求の範囲】
【請求項１】
仏壇本体構造の一部位に、遺骨、遺品等を収納する角形、或いは水平回転も可能な円形又は多角形からなる、安置室を設けた墓兼仏壇。
【発明の詳細な説明】
【０００１】
【発明の属する技術分野】
この発明は、仏壇本体構造の一部として、本体の一部位に遺骨、遺品等の収納安置室を設けた仏壇に関するものである。
【０００２】
【従来の技術】
従来の一般的仏壇には、仏具を整え、位牌、仏像を安置する厨子があり、下方部には、仏具、小道具等を収納する部分が認められるが、本体構造一部位の平面上に複数のブロック部分を設けて、遺骨、遺品等を故人別に収納安置することが可能なヶ所が機能的にも、名称としても存在しなかった。
【０００３】
【発明が解決しようとする課題】
上記のような状態から、位牌、遺骨、遺品等を故人別に納める収納安置室を仏壇本体構造の一部として設置することが求められている。
【０００４】
【課題を解決するための手段】
仏壇本体構造の一部位の平面上に、角形或いは水平回転も可能な円形又は多角形からなる引出方式の収納安置室を設け、内部は固定又は着脱可能なブロック枠と仕切板等により、ブロク部分を形成する。
このブロック内部に、位牌、遺骨、遺品等を故人別に収納安置することが提案されている。
【０００５】
【発明の実施の形態】
仏壇本体構造の一部として、本体一部位の平面上に設けられた、収納安置室の形態は、安置室底板の上面周囲に設けた枠板により、角形或いは水平回転も可能な円形又は多角形からなり、引出方式である。
内部は固定又は着脱可能ブロック枠と仕切板、或いは安置室枠板と内枠板との間に設けた仕切板により、複数のブロック部が形成されている。
このブロック部内に位牌、遺骨、頭髪等を納める「壷・箱」故人略歴帳、愛用品等のミニ製品をコンパクトに収納安置することが容易であり、出納も簡単である。本発明の第一実施例を
【図１】
【図２】に基づいて説明する。
【図１】は正面図であり（１）は仏壇本体（２）は厨子（３）は収納安置室（４）は仏具道具入れ
【図２】は角形収納安置室で（イ）は平面図（ロ）は斜視図です。（５）の安置室枠板と（９）の底板により安置室が形成され、内部は着脱可能なブロック枠（６）と仕切板（７）により、或いは安置室枠板（５）に直接固定した仕切板（７）により複数のブロック部が形成され、仏壇本体からの出し入れは引出取手（１０）により行うことができる。
本発明の第二実施例を
【図１】
【図３】に沿って説明する。
【図１】は正面図（１）は仏壇本体（２）は厨子（３）は収納安置室（４）は仏具道具入れ
【図３】は円形収納安置室（ハ）は平面図（ニ）は正面図（ホ）は斜視図である。安置室は底板（１２）と枠板（１３）にて形成され、内部は安置室枠板と中心部との間に内枠板（１４）を設け、枠板（１３）と内枠板（１４）の間にブロック仕切板（１７）を施し複数のブロック部分（１８）が形成され、内枠板（１４）より内側には空間（１９）が存在している。
安置室全体は、安置室支持板（１１）に設けた回転軸（１５）を安置室底板（１２）に設置した回転軸受（１６）を通して安置室支持板（１１）上に安定して載っており、回転も円滑に行うことができ仏壇本体（１）からの出し入れは安定室支持板（１１）に設けた引出取手（２０）にて行うことができる。
【０００６】
【発明の効果】
この発明は仏壇本体構造の一部に機能的名称として設けた、遺骨、遺品等収納安置室内部は仕切板等により、複数のブロック部が形成されている。このブロック部内に位牌、遺骨、故人略歴帳、愛用品等を故人別に収納安置することができる。従って彼岸、お盆等の仏教行事とそれに伴う墓参行事等を家庭内仏壇に於て、親族縁者が気軽に集い執り行い、先祖、故人の霊を供養し冥福を祈ることが現実的にも、心理的にもごく自然の形で可能となる。尚、昨今の社会情勢として近郊墓地の逼迫により、墓地の立地が遠隔に及び、交通の便等種々の条件により取得難の状況にあり、このような環境への対応として、仏壇の墓地機能への代替が不可欠であり、合理的な市民生活改善の一助ともなる。
【図面の簡単な説明】
【図１】本発明の正面図である。
【図２】本発明の第一実施例を示し（イ）は角形収納安置室平面図
（ロ）は角形収納安置室斜視図である。
【図３】本発明の第二実施例を示し（ハ）は円形収納安置室平面図
（ニ）は円形収納安置室正面図
（ホ）は円形収納安置室斜視図である。
【符号の説明】
１　仏壇本体　２　厨子　３　収納安置室　４　仏具、道具入れ
５　収納安置室枠板　６　ブロック枠板　７　ブロック仕切板
８　ブロック部分　９　安置室底板　１０　引出取手
１１　安置室支持板　１２　安置室底板　１３　安置室枠板
１４　安置室内枠板　１５　回転軸　１６　回転軸受　１７　ブロク仕切板
１８　ブロック部分　１９　予備空間　２０　引出取手
【図１】
2004105701.tif 000003
【図２】
2004105701.tif 000004
【図３】
2004105701.tif 000005
(57)【要約】【課題】有効塩素を含有する塩化ナトリウム水溶液中の有効塩素の濃度を安全に、かつ簡易な操作で測定することができ、よって安全性、操作性の観点から極めて有利な有効塩素を含有する塩化ナトリウム水溶液中の有効塩素の濃度の測定方法を提供。【解決手段】有効塩素を含有する塩化ナトリウム水溶液に２、２’−アジノ−ビス（３−エチルベンゾチアゾリン−６−スルホン酸）またはＮ、Ｎ−ジエチル−１、４−フェニレンジアミンを加え、比色法により有効塩素の濃度を測定することを特徴とする有効塩素を含有する塩化ナトリウム水溶液中の有効塩素の濃度の測定方法。有効塩素とは水中に存在する酸化力を有する形の塩素のことである。有効塩素を含有する塩化ナトリウム水溶液としては、塩素を含有するガスを水酸化ナトリウム水溶液に吸収させた後の溶液が良く用いられる。【選択図】  なし【特許請求の範囲】
【請求項１】
有効塩素を含有する塩化ナトリウム水溶液に２、２’−アジノ−ビス（３−エチルベンゾチアゾリン−６−スルホン酸）またはＮ、Ｎ−ジエチル−１、４−フェニレンジアミンを加え、比色法により有効塩素の濃度を測定することを特徴とする有効塩素を含有する塩化ナトリウム水溶液中の有効塩素の濃度の測定方法。
【発明の詳細な説明】
【０００１】
【発明の属する技術分野】
本発明は、有効塩素を含有する塩化ナトリウム水溶液中の有効塩素の濃度を測定する方法に関するものである。更に詳しくは、本発明は、有効塩素を含有する塩化ナトリウム水溶液中の有効塩素の濃度を測定するに際し、有効塩素の濃度を安全に、かつ簡易な操作で測定することができ、よって安全性、操作性の観点から極めて有利な有効塩素を含有する塩化ナトリウム水溶液中の有効塩素の濃度の測定方法に関するものである。
【０００２】
【従来の技術】
水中の残留塩素を測定する方法としては、試料溶液にオルトトリジンを添加して、標準比色液と比較して測定する方法（非特許文献１参照。）などが知られている。しかしながら、オルトトリジンは発ガン性を有しており、人体へ悪影響を及ぼす可能性があるという問題がある。
【０００３】
【非特許文献１】
「上水試験方法」  １９７０年版  日本水道協会発行
【０００４】
【発明が解決しようとする課題】
かかる現状に鑑み、本発明が解決しようとする課題は、有効塩素を含有する塩化ナトリウム水溶液中の有効塩素の濃度を測定するに際し、有効塩素の濃度を安全に、かつ簡易な操作で測定することができ、よって安全性、操作性の観点から極めて有利な有効塩素を含有する塩化ナトリウム水溶液中の有効塩素の濃度の測定方法を提供する点に存するものである。
【０００５】
【課題を解決するための手段】
すなわち、本発明は、有効塩素を含有する塩化ナトリウム水溶液に２、２’−アジノ−ビス（３−エチルベンゾチアゾリン−６−スルホン酸）またはＮ、Ｎ−ジエチル−１、４−フェニレンジアミンを加え、比色法により有効塩素の濃度を測定する方法に係るものである。
【０００６】
【発明の実施の形態】
本発明においては、有効塩素を含有する塩化ナトリウム水溶液に２、２’−アジノ−ビス（３−エチルベンゾチアゾリン−６−スルホン酸）またはＮ、Ｎ−ジエチル−１、４−フェニレンジアミンを加え、比色法により溶液中の有効塩素の濃度を測定する必要がある。このことにより、有効塩素の濃度を安全に、かつ簡易な操作で測定することができる。
【０００７】
本発明において、有効塩素とは水中に存在する酸化力を有する形の塩素のことである。
【０００８】
本発明においては、有効塩素を含有する塩化ナトリウム水溶液としては、塩素を含有するガスを水酸化ナトリウム水溶液に吸収させた後の溶液が良く用いられる。
【０００９】
本発明においては、有効塩素を含有する塩化ナトリウム水溶液に２、２’−アジノ−ビス（３−エチルベンゾチアゾリン−６−スルホン酸）またはＮ、Ｎ−ジエチル−１、４−フェニレンジアミンを加え、比色法により有効塩素の濃度を測定する必要がある。２、２’−アジノ−ビス（３−エチルベンゾチアゾリン−６−スルホン酸）またはＮ、Ｎ−ジエチル−１、４−フェニレンジアミンを添加する方法は、該溶液に２、２’−アジノ−ビス（３−エチルベンゾチアゾリン−６−スルホン酸）またはＮ、Ｎ−ジエチル−１、４−フェニレンジアミンを添加できれば、直接固体状で添加しても、２、２’−アジノ−ビス（３−エチルベンゾチアゾリン−６−スルホン酸）またはＮ、Ｎ−ジエチル−１、４−フェニレンジアミンを溶解させた溶液を添加しても良い。２、２’−アジノ−ビス（３−エチルベンゾチアゾリン−６−スルホン酸）またはＮ、Ｎ−ジエチル−１、４−フェニレンジアミンを溶解させる液は、２、２’−アジノ−ビス（３−エチルベンゾチアゾリン−６−スルホン酸）またはＮ、Ｎ−ジエチル−１、４−フェニレンジアミンが溶解し、有効塩素と反応しないものならばいかなるものでも良い。２、２’−アジノ−ビス（３−エチルベンゾチアゾリン−６−スルホン酸）またはＮ、Ｎ−ジエチル−１、４−フェニレンジアミンを添加する量は、溶液中で有効塩素と作用し発色すれば良いが、２、２’−アジノ−ビス（３−エチルベンゾチアゾリン−６−スルホン酸）またはＮ、Ｎ−ジエチル−１、４−フェニレンジアミンの濃度が０．０００１ｇ／ｌ〜２０ｇ／ｌとなるのが好ましい。
【００１０】
【実施例】
以下に実施例に基づいて本発明をより詳細に説明するが、本発明はこれら実施例により限定されるものではない。
実施例１
試薬塩化ナトリウム（３５．２０ｇ  関東化学  特級）と試薬硫酸ナトリウム（３．５８ｇ  和光純薬  特級）を水（１６２．１１ｇ）に溶解させ、１８重量％塩化ナトリウム水溶液（Ａ）を調製した。
ガラス製ビーカーに１８重量％塩化ナトリウム溶液（Ａ）（９９．４４ｇ）を入れた後に、次亜塩素酸ナトリウム溶液（０．２１１３ｇ  有効塩素濃度５．８重量％  関東化学  鹿１級）を加え、有効塩素を含有する１８重量％塩化ナトリウム水溶液（Ｂ）を調製した。１８重量％塩化ナトリウム水溶液（Ｂ）の有効塩素の濃度は１２３重量ｐｐｍと計算される。続いて、別のガラス製ビーカーに有効塩素を含有する１８重量％塩化ナトリウム水溶液（Ｂ）（０．５１８５ｇ）を入れた後に、１８重量％塩化ナトリウム水溶液（Ａ）（１００．３７ｇ）を加え、有効塩素を含有する１８重量％塩化ナトリウム水溶液（Ｃ）を調製した。１８重量％塩化ナトリウム水溶液（Ｃ）の有効塩素の濃度は０．６３重量ｐｐｍと計算される。
０．６３重量ｐｐｍの有効塩素を含有する１８重量％塩化ナトリウム水溶液（Ｃ）（６ｍｌ）に２、２’−アジノ−ビス（３−エチルベンゾチアゾリン−６−スルホン酸）を１錠（和光純薬工業  活性塩素テストワコー）加え、３秒間振とうさせた後に色調表と照合すると、０．６ｐｐｍであった。
【００１１】
【発明の効果】
以上説明したとおり、本発明により、有効塩素を含有する塩化ナトリウム水溶液中の有効塩素の濃度を安全に、かつ簡易な操作で測定することができ、よって安全性、操作性の観点から極めて有利な有効塩素を含有する塩化ナトリウム水溶液中の有効塩素の濃度の測定方法を提供することができた。